(57)【特許請求の範囲】
【請求項１】
コンテンツを再生する再生手段と、
イベント発生を報知する報知手段と、
前記再生手段の出力と前記報知手段の出力を重畳する重畳手段と、
前記報知手段のイベント発生の報知のタイミング並びに前記再生手段の出力及び前記報知手段の出力の重畳のタイミングを予め設定した手順で制御する制御手段と、
前記コンテンツから前記手順を選択するためのメタ情報を抽出する抽出手段と、を備え、
前記制御手段は、抽出したメタ情報に基づいて選択した手順で前記報知手段のイベント発生の報知のタイミング並びに前記再生手段の出力及び前記報知手段の出力の重畳のタイミングを制御する
情報端末。
【請求項２】
コンテンツを再生する再生手段と、
イベント発生を報知する報知手段と、
前記再生手段の出力と前記報知手段の出力を重畳する重畳手段と、
前記報知手段のイベント発生の報知のタイミング並びに前記再生手段の出力及び前記報知手段の出力の重畳のタイミングを予め設定した手順で制御する制御手段と、
前記コンテンツに対応付けられるメタ情報を、前記コンテンツに含まれる文字データ、前記コンテンツのファイル名、ファイル作成時刻、ファイル更新時刻、ファイルサイズ、ファイルタイプ、ファイル拡張子、ファイルフォーマット若しくはファイルヘッダのうちのいずれか又はこれらのいずれかに基づいて外部から取得し、又は、前記コンテンツの録画予約情報に含まれるデータ若しくは前記コンテンツの録画に用いられた番組案内情報若しくは録画開始後に新たに取得された番組案内情報に含まれるデータから取得する取得手段と、を備え、
前記制御手段は、取得したメタ情報に基づいて選択した手順で前記報知手段のイベント発生の報知のタイミング並びに前記再生手段の出力及び前記報知手段の出力の重畳のタイミングを制御する
情報端末。
【請求項３】
コンテンツを再生する再生手段と、イベント発生を報知する報知手段と、前記再生手段の出力と前記報知手段の出力を重畳する重畳手段と、を備える情報端末におけるイベント報知方法であって、
前記報知手段のイベント発生の報知のタイミング並びに前記再生手段の出力及び前記報知手段の出力の重畳のタイミングを予め設定した手順で制御する制御ステップと、
前記コンテンツから前記手順を選択するためのメタ情報を抽出する抽出ステップと、を備え、
前記制御ステップは、抽出したメタ情報に基づいて選択した手順で前記報知手段のイベント発生の報知のタイミング並びに前記再生手段の出力及び前記報知手段の出力の重畳のタイミングを制御する
イベント報知方法。
【請求項４】
コンテンツを再生する再生手段と、イベント発生を報知する報知手段と、前記再生手段の出力と前記報知手段の出力を重畳する重畳手段と、を備える情報端末におけるイベント報知方法であって、
前記報知手段のイベント発生の報知のタイミング並びに前記再生手段の出力及び前記報知手段の出力の重畳のタイミングを予め設定した手順で制御する制御ステップと、
前記コンテンツに対応付けられるメタ情報を、前記コンテンツに含まれる文字データ、前記コンテンツのファイル名、ファイル作成時刻、ファイル更新時刻、ファイルサイズ、ファイルタイプ、ファイル拡張子、ファイルフォーマット若しくはファイルヘッダのうちのいずれか又はこれらのいずれかに基づいて外部から取得し、又は、前記コンテンツの録画予約情報に含まれるデータ若しくは前記コンテンツの録画に用いられた番組案内情報若しくは録画開始後に新たに取得された番組案内情報に含まれるデータから取得する取得ステップと、を備え、
前記制御ステップは、取得したメタ情報に基づいて選択した手順で前記報知手段のイベント発生の報知のタイミング並びに前記再生手段の出力及び前記報知手段の出力の重畳のタイミングを制御する
イベント報知方法。
【請求項５】
コンテンツを再生する再生手段と、イベント発生を報知する報知手段と、前記再生手段の出力と前記報知手段の出力を重畳する重畳手段と、を備える情報端末に、
前記報知手段のイベント発生の報知のタイミング並びに前記再生手段の出力及び前記報知手段の出力の重畳のタイミングを予め設定した手順で制御する制御ステップと、
前記コンテンツから前記手順を選択するためのメタ情報を抽出する抽出ステップと、を実行させるためのプログラムであって、
前記制御ステップは、抽出したメタ情報に基づいて選択した手順で前記報知手段のイベント発生の報知のタイミング並びに前記再生手段の出力及び前記報知手段の出力の重畳のタイミングを制御する
プログラム。
【請求項６】
コンテンツを再生する再生手段と、イベント発生を報知する報知手段と、前記再生手段の出力と前記報知手段の出力を重畳する重畳手段と、を備える情報端末に、
前記報知手段のイベント発生の報知のタイミング並びに前記再生手段の出力及び前記報知手段の出力の重畳のタイミングを予め設定した手順で制御する制御ステップと、
前記コンテンツに対応付けられるメタ情報を、前記コンテンツに含まれる文字データ、前記コンテンツのファイル名、ファイル作成時刻、ファイル更新時刻、ファイルサイズ、ファイルタイプ、ファイル拡張子、ファイルフォーマット若しくはファイルヘッダのうちのいずれか又はこれらのいずれかに基づいて外部から取得し、又は、前記コンテンツの録画予約情報に含まれるデータ若しくは前記コンテンツの録画に用いられた番組案内情報若しくは録画開始後に新たに取得された番組案内情報に含まれるデータから取得する取得ステップと、を実行させるためのプログラムであって、
前記制御ステップは、取得したメタ情報に基づいて選択した手順で前記報知手段のイベント発生の報知のタイミング並びに前記再生手段の出力及び前記報知手段の出力の重畳のタイミングを制御する
プログラム。
【発明の詳細な説明】
【技術分野】
【０００１】
本発明は、音楽や動画、テレビ放送などの各種コンテンツの再生機能を有する情報端末に関し、特に、コンテンツ再生中に電話着信等のイベントが発生した際のコンテンツ再生動作の制御を特徴とする情報端末、イベント報知方法及びプログラムに関する。
【背景技術】
【０００２】
近年、メモリの小型大容量化や音声圧縮技術の向上に従い、携帯電話機などの携帯端末でも音楽や動画、テレビ放送などの各種コンテンツを手軽に再生することが可能となってきた。それに伴い、イベント発生時において、報知音などの出力とコンテンツの再生出力との切り換えやバランス調整が重要な制御要素となり、例えば、電話の着信時または通話時において適切にこれを調整する情報端末装置や携帯電話機などが提案されている（例えば、特許文献１参照）。
【特許文献１】特開２００３−２５８９８８号公報（第４−７頁、第１図）
【発明の開示】
【発明が解決しようとする課題】
【０００３】
特許文献１に開示された情報端末装置は、電話着信時に、コンテンツ再生音と通話音声を予め設定されたバランスに変更する。この情報端末装置によれば、例えば、オーディオを再生しながら電話による音声通話を良好に行うことが可能となる。しかしながら、上記従来の情報端末装置では、例えば電話着信時に、コンテンツの再生音量の低減と通話音声の音量の上昇が急激に行われるため、装置の使用者は急激なバランス変化に驚いたりするなどの唐突感がある。また、再生しているコンテンツの種類にかかわりなく常に同じベルや着信メロディで行われる電話着信の報知は、画一的で表現力に欠け、娯楽性に乏しい。
【０００４】
本発明はコンテンツ再生中におけるイベント発生の報知を、唐突感なく行うことができる情報端末及びイベント報知方法を提供することを目的とする。また、イベント発生を優れた表現力で多彩に報知できる娯楽性の高い情報端末、イベント報知方法及びプログラムを提供することを目的とする。
【課題を解決するための手段】
【０００５】
本発明の情報端末は、コンテンツを再生する再生手段と、イベント発生を報知する報知手段と、前記再生手段の出力と前記報知手段の出力を重畳する重畳手段と、前記報知手段のイベント発生の報知のタイミング並びに前記再生手段の出力及び前記報知手段の出力の重畳のタイミングを予め設定した手順で制御する制御手段と、前記コンテンツから前記手順を選択するためのメタ情報を抽出する抽出手段と、を備え、前記制御手段は、抽出したメタ情報に基づいて選択した手順で前記報知手段のイベント発生の報知のタイミング並びに前記再生手段の出力及び前記報知手段の出力の重畳のタイミングを制御する。また、本発明のイベント報知方法は、コンテンツを再生する再生手段と、イベント発生を報知する報知手段と、前記再生手段の出力と前記報知手段の出力を重畳する重畳手段と、を備える情報端末におけるイベント報知方法であって、前記報知手段のイベント発生の報知のタイミング並びに前記再生手段の出力及び前記報知手段の出力の重畳のタイミングを予め設定した手順で制御する制御ステップと、前記コンテンツから前記手順を選択するためのメタ情報を抽出する抽出ステップと、を備え、前記制御ステップは、抽出したメタ情報に基づいて選択した手順で前記報知手段のイベント発生の報知のタイミング並びに前記再生手段の出力及び前記報知手段の出力の重畳のタイミングを制御する。また、本発明のプログラムは、コンテンツを再生する再生手段と、イベント発生を報知する報知手段と、前記再生手段の出力と前記報知手段の出力を重畳する重畳手段と、を備える情報端末に、前記報知手段のイベント発生の報知のタイミング並びに前記再生手段の出力及び前記報知手段の出力の重畳のタイミングを予め設定した手順で制御する制御ステップと、前記コンテンツから前記手順を選択するためのメタ情報を抽出する抽出ステップと、を実行させるためのプログラムであって、前記制御ステップは、抽出したメタ情報に基づいて選択した手順で前記報知手段のイベント発生の報知のタイミング並びに前記再生手段の出力及び前記報知手段の出力の重畳のタイミングを制御する。
【０００６】
また、本発明の情報端末は、コンテンツを再生する再生手段と、イベント発生を報知する報知手段と、前記再生手段の出力と前記報知手段の出力を重畳する重畳手段と、前記報知手段のイベント発生の報知のタイミング並びに前記再生手段の出力及び前記報知手段の出力の重畳のタイミングを予め設定した手順で制御する制御手段と、前記コンテンツに対応付けられるメタ情報を、前記コンテンツに含まれる文字データ、前記コンテンツのファイル名、ファイル作成時刻、ファイル更新時刻、ファイルサイズ、ファイルタイプ、ファイル拡張子、ファイルフォーマット若しくはファイルヘッダのうちのいずれか又はこれらのいずれかに基づいて外部から取得し、又は、前記コンテンツの録画予約情報に含まれるデータ若しくは前記コンテンツの録画に用いられた番組案内情報若しくは録画開始後に新たに取得された番組案内情報に含まれるデータから取得する取得手段と、を備え、前記制御手段は、取得したメタ情報に基づいて選択した手順で前記報知手段のイベント発生の報知のタイミング並びに前記再生手段の出力及び前記報知手段の出力の重畳のタイミングを制御する。また、本発明のイベント報知方法は、コンテンツを再生する再生手段と、イベント発生を報知する報知手段と、前記再生手段の出力と前記報知手段の出力を重畳する重畳手段と、を備える情報端末におけるイベント報知方法であって、前記報知手段のイベント発生の報知のタイミング並びに前記再生手段の出力及び前記報知手段の出力の重畳のタイミングを予め設定した手順で制御する制御ステップと、前記コンテンツに対応付けられるメタ情報を、前記コンテンツに含まれる文字データ、前記コンテンツのファイル名、ファイル作成時刻、ファイル更新時刻、ファイルサイズ、ファイルタイプ、ファイル拡張子、ファイルフォーマット若しくはファイルヘッダのうちのいずれか又はこれらのいずれかに基づいて外部から取得し、又は、前記コンテンツの録画予約情報に含まれるデータ若しくは前記コンテンツの録画に用いられた番組案内情報若しくは録画開始後に新たに取得された番組案内情報に含まれるデータから取得する取得ステップと、を備え、前記制御ステップは、取得したメタ情報に基づいて選択した手順で前記報知手段のイベント発生の報知のタイミング並びに前記再生手段の出力及び前記報知手段の出力の重畳のタイミングを制御する。また、本発明のプログラムは、コンテンツを再生する再生手段と、イベント発生を報知する報知手段と、前記再生手段の出力と前記報知手段の出力を重畳する重畳手段と、を備える情報端末に、前記報知手段のイベント発生の報知のタイミング並びに前記再生手段の出力及び前記報知手段の出力の重畳のタイミングを予め設定した手順で制御する制御ステップと、前記コンテンツに対応付けられるメタ情報を、前記コンテンツに含まれる文字データ、前記コンテンツのファイル名、ファイル作成時刻、ファイル更新時刻、ファイルサイズ、ファイルタイプ、ファイル拡張子、ファイルフォーマット若しくはファイルヘッダのうちのいずれか又はこれらのいずれかに基づいて外部から取得し、又は、前記コンテンツの録画予約情報に含まれるデータ若しくは前記コンテンツの録画に用いられた番組案内情報若しくは録画開始後に新たに取得された番組案内情報に含まれるデータから取得する取得ステップと、を実行させるためのプログラムであって、前記制御ステップは、取得したメタ情報に基づいて選択した手順で前記報知手段のイベント発生の報知のタイミング並びに前記再生手段の出力及び前記報知手段の出力の重畳のタイミングを制御する。
【発明の効果】
【０００７】
本発明によれば、コンテンツの再生及びイベント発生の報知を予め設定した再生手順で実行させることで、コンテンツ再生中におけるイベント発生の報知を、唐突感なく行わせることができる。
【発明を実施するための最良の形態】
【０００８】
以下、添付図面を参照しながら本発明の実施形態に係る情報端末について説明する。尚、実施の形態を説明するための全図において、同一機能を有するものは同一符号を付与し、説明は繰り返さないこととする。
【０００９】
図１は、本発明の実施の形態における情報端末の概略の内部構成を示す図である。情報端末は、第１コンテンツ再生手段１０、第２コンテンツ再生手段２０、着信・アラームコンテンツ再生手段３０、計時手段４０、制御手段５０、イベント検出手段６０、重畳手段７０、通信手段８０、提示手段９０を備える。
【００１０】
第１コンテンツ再生手段１０は、音楽、映画、ＴＶなどの視聴用コンテンツの再生部であり、符号化圧縮されたデータのデコーダやテレビチューナなどを含む。第２コンテンツ再生手段２０は、後述する着信・アラーム報知用コンテンツとは別の報知用コンテンツの再生部である。着信・アラームコンテンツ再生手段３０は、情報端末の使用者に着信・アラームを報知するための再生部で、シーケンス音、オーディオ、動画、アニメーション等を再生する。計時手段４０は、時間を計測して、制御手段５０や重畳手段７０にコンテンツ再生に関わる時間情報を通知する。
【００１１】
制御手段５０は、コンテンツの再生・停止に関わる制御や、重畳手段７０の動作制御（タイミング、重畳パラメータ、重畳の種類の指定等）など、情報端末のイベント検出報知に関わる動作全般を統括制御する。尚、制御手段５０は、コンテンツの再生やイベント報知の再生手順を記述したシナリオ情報を複数格納するための制御手順保持手段５２と、制御手順保持手段５２に格納されたシナリオ情報の中から１つを指定するためのメタ情報を、第１コンテンツ再生手段１０で再生中のコンテンツデータから抽出するメタ情報抽出手段５３に接続される。
【００１２】
イベント検出手段６０は、着信やアラームといったイベントを検出して制御手段５０に通知する。重畳手段７０は、第１コンテンツ再生手段１０や第２コンテンツ再生手段２０の出力、着信・アラームコンテンツ再生手段３０の出力、通話音声の各出力を視覚的、音響的に重畳する。
【００１３】
通信手段８０は、情報端末における電話の発呼及び着呼を制御する無線通信ユニットであり、公衆無線電話網を構成する無線基地局との間で通信を行って電話や電子メールなどの送受信を行う。尚、無線通信は公知の手法を用いてよく、従って通信部８０の詳細な内部構成及びそれにより実現される各機能については説明を省略する。提示手段９０は、重畳された再生出力をＬＣＤなどのディスプレイやスピーカー等を介して情報端末の使用者に提示する。
【００１４】
図２は、本発明の実施の形態における情報端末の、コンテンツ再生中におけるイベント検出時の制御動作手順を示すフローチャートである。はじめに、第１コンテンツ再生手段１０でコンテンツを再生している際（ステップＳ１０１）、イベント検出手段６０が、電話着信やアラームといったイベントを検出すると（ステップＳ１０２）、制御手段５０は、メタ情報抽出手段５３が再生中のコンテンツデータから抽出したメタ情報を把握する（ステップＳ１０３）。メタ情報には、再生中のコンテンツの種類やシナリオ情報を指定する情報などが含まれているので、制御手段５０は、メタ情報に基づいてシナリオ情報を選択し、制御手順保持手段５２から指定したシナリオ情報を読み出す（ステップＳ１０４）。例えば、再生中のコンテンツがＴＶ放送のスポーツ番組である場合、コンテンツのメタ情報「スポーツ番組」に対応したシナリオ情報が選択される。
【００１５】
制御手段５０は、読み出したシナリオ情報と計時手段４０から取得した時間情報に基づいて、第１コンテンツ再生手段１０の出力と第２コンテンツ再生手段２０の出力との重畳を時系列で制御する（ステップＳ１０５）。例えば、第１コンテンツ再生手段の出力をフェードアウトさせ、並行して第２コンテンツ再生手段の出力をフェードインさせる。
【００１６】
次に、シナリオ終了前に（ステップＳ１０６）、例えば電話着信による通話が終了するなどをイベントで検出して（ステップＳ１０７）、制御手段５０は、第１コンテンツ再生手段１０の出力と第２コンテンツ再生手段２０の出力との重畳を再び時系列で制御して、元のコンテンツ再生状態に復帰させる（ステップＳ１０５）。尚、ステップＳ１０５の「再生出力の制御」処理の具体例については、実施例で詳細に説明する。
【００１７】
このように、イベント検出時に第１コンテンツ再生手段の再生出力と第２コンテンツ再生手段の再生出力との重畳を徐々に変化させることにより、イベント発生の報知を唐突感なく行うことができる。また、再生中のコンテンツのメタ情報に基づいて最適なシナリオ情報を選択することにより、表現力に優れた娯楽性の高いイベント報知を行うことができる。
【００１８】
次に、図１の第１コンテンツ再生手段１０の一例としてＴＶ再生手段を、イベント検出手段６０の一例として電話の着信検出手段を搭載した情報端末を用いて、その内部構成とコンテンツ再生中における電話着信時の再生出力の制御動作を具体的に説明する。
【００１９】
図３は、本発明の実施例における携帯電話端末の内部構成を示す図である。携帯電話端末は、ＴＶ再生手段１１、動画再生手段２１、画像再生手段２５、着信音再生手段３１、計時手段４０、制御手段５０、着信検出手段６１、重畳手段７０、通信手段８０、ＬＣＤ９１、ヘッドセット９２を備える。
【００２０】
ＴＶ再生手段１１は、図１における第１コンテンツ再生手段１０の一例で、ＴＶチューナー１２、復調手段１３、アンテナ１４、などで構成される。ＴＶチューナー１２は、アンテナ１４を介してＴＶ放送電波を受信し、復調手段１３は受信電波の復調を行う。ＴＶ再生手段１１は、復調されたストリームをデマルチプレクサ１０１でデマルチプレクスして、オーディオ、ビデオ、データそれぞれのデコーダでデコードする。オーディオ及びビデオのデコードデータは、バッファを介して後述する重畳手段７０へ出力される。データデコーダ１０６でデコードされたデータは、後述するメタ情報抽出手段５３へ出力される。
【００２１】
動画再生手段２１及び画像再生手段２５は、図１における第２コンテンツ再生手段２０の一例で、動画再生手段２１は、動画読出手段２２、動画蓄積手段２３などで構成され、画像再生手段２５は、画像読出手段２６、画像蓄積手段２７などで構成される。動画再生手段２１は、動画読出手段２２が動画蓄積手段２３から読み出した動画データをデマルチプレクサ２０１でオーディオ及びビデオにデマルチプレクスして、バッファを介して後述する重畳手段７０へ出力する。画像再生手段２５は、画像読出手段２６が画像蓄積手段２７から読み出した画像データをデコーダ２０６でデコードして、バッファを介して後述する重畳手段７０へ出力する。
【００２２】
着信音再生手段３１は、図１における着信・アラームコンテンツ再生手段３０の一例で、着信音読出手段３２、着信音蓄積手段３３などで構成され、電話着信時に着信音の再生を行う。着信音読出手段３２が着信音蓄積手段３３から読み出した着信音データは、バッファを介して後述する重畳手段７０へ出力される。
【００２３】
計時手段４０及び制御手段５０は、それぞれ図１における計時手段及び制御手段と同じ機能を有するものであるが、制御手段５０は、ＣＰＵ５１で実行される制御プログラムによりソフトウェア的に実現されるものである。また、制御手段５０には、制御手順保持手段５２及びメタ情報抽出手段５３が接続される。
【００２４】
着信検出手段６１は、図１におけるイベント検出手段６０の一例で、ここでは、電話着信の検出を行う。
【００２５】
重畳手段７０及び通信手段８０も、それぞれ図１における重畳手段及び通信手段と同じ機能を有するものであるが、通信手段８０は、重畳手段７０との間に、復調手段８１とオーディオデコーダ８２、並びにオーディオエンコーダ８３と変調手段８４を含む。
【００２６】
ＬＣＤ９１とヘッドセット９２は、図１における提示手段９０の一例で、ＬＣＤ９１は、重畳手段７０で重畳されたコンテンツデータなどの画像表示を行う。また、ヘッドセット９２は、重畳手段７０で重畳されたコンテンツデータなどの音声をスピーカ部分から出力する。従って、情報端末の使用者は、ＬＣＤ９１の画面表示とヘッドセット９２の音声出力により報知用コンテンツなどを視聴することができる。
【００２７】
図４から図１０は、本発明の実施例における携帯電話端末の、コンテンツ再生中における電話着信検出時のコンテンツ再生制御動作手順を示すシーケンス図である。はじめに、情報端末の使用者がテレビ放送を視聴している際、ＴＶ再生手段１１は、受信したテレビ放送のストリームデータを、重畳手段７０に接続するバッファへ周期的に出力している（ステップＳ２０１）。同じくメタ情報抽出手段５３は、受信したＴＶ放送受信データの文字データからメタ情報を周期的に抽出して（ステップＳ２０２）、ＣＰＵ５１へ通知している（ステップＳ２０３）。図１１は、コンテンツデータ（即ち、本実施例ではＴＶ放送受信データ）に挿入された文字データの記述形式例を示す図である。メタ情報抽出手段５３は、この文字データからメタ情報を抽出する。図１２は、メタ情報の記述形式例を示す図である。図では、ナイター中継番組の視聴中であるので、「sports」というジャンルのメタ情報が抽出される。
【００２８】
テレビ放送再生中に、着信検出手段６１が、通信手段８０を介して電話着信を検出すると（ステップＳ２０４）、ＣＰＵ５１に着信通知を行う（ステップＳ２０５）。ＣＰＵ５１は、電話帳５４に格納された電話番号データを参照して（ステップＳ２０６）、「友人」グループに属する発信者からの着信であることを把握する（ステップＳ２０７）。
【００２９】
ＣＰＵ５１は、計時手段４０に時刻情報の通知を要求して（ステップＳ２０８）、現在時刻情報を取得した後（ステップＳ２０９）、制御手順保持手段５２にアクセスして（ステップＳ２１０）、適切なシナリオ情報を検索、取得する（ステップＳ２１１）。この場合の検索条件は、ジャンルが「sports」、発信者グループが「友人」、現在時刻が「２００４年４月１０日午後８時５分」であり、検索条件により異なるシナリオ情報が選択される。
【００３０】
具体的に説明すると、制御手順保持手段５２は、検索条件とシナリオ情報を一意に対応させる制御手順テーブルを保持しているので、このテーブルを参照することによりシナリオ情報が検索される。図１３は、制御手順テーブルの参照例を示す図である。例えば、抽出したメタ情報「スポーツ中継」のジャンルが「sports」である場合、更に「script_table_sports」というテーブルが参照される。このテーブルでは、発信者グループと着信期間という検索項目でシナリオ情報が分類されているので、この場合適切なシナリオ情報として「スクリプト２」が選択されることがわかる。
【００３１】
次に、図５のシーケンス図に移り、ＣＰＵ５１が制御手段５０に対して制御開始を指示すると（ステップＳ２１２）、制御手段５０は計時手段４０のタイマーを初期化して（ステップＳ２１３）、以降「スクリプト２」に従ったコンテンツ再生制御動作を開始する。
【００３２】
はじめに、制御手段５０が、画像再生手段２５に画像書出しを指示すると（ステップＳ２１４）、画像読出手段２６は、画像蓄積手段２７から画像データを取得する（ステップＳ２１５、２１６）。画像再生手段２５は、取得した画像データを重畳手段７０に接続するバッファへ出力して（ステップＳ２１７）、制御手段５０に書出し完了を通知する（ステップＳ２１８）。制御手段５０が重畳手段７０に画像切換えを指示すると（ステップＳ２１９）、ＬＣＤ９１の表示は、図５（ａ）に示すスポーツ中継のＴＶ映像から図５（ｂ）に示す画像に変化する。
【００３３】
次に、制御手段５０は、計時手段４０で所定時間のカウントを開始した後（ステップＳ２２０）、動画再生手段２１に動画のスタンバイを指示する（ステップＳ２２１）。動画読出手段２２は、動画蓄積手段２３から動画データを取得する（ステップＳ２２２、２２３）。動画再生手段２１は、取得した動画データを重畳手段７０に接続するバッファへ出力すると（ステップＳ２２４）、制御手段５０にスタンバイ完了を通知する（ステップＳ２２５）。
【００３４】
次に、図６のシーケンス図に移り、制御手段５０は、所定のタイマー周期でＴＶ再生手段１１の音声ゲインを段階的に低減させ、ＴＶ放送の音声をフェードアウトさせる（ステップＳ２２７から２４１）。制御手段５０が重畳手段７０に画像切換えを指示し（ステップＳ２４２）、更に、動画再生手段２１に動画再生開始を指示すると（ステップＳ２４３）、動画再生手段２１は動画再生を開始して（ステップＳ２４４）、再生開始を制御手段５０に通知する（ステップＳ２４５）。ＬＣＤ９１の表示は、図６（ａ）に示す画像から図６（ｂ）に示す映像に変化する。
【００３５】
次に、図７のシーケンス図に移り、制御手段５０が、着信音再生手段３１に着信音再生開始を指示すると（ステップＳ２４７）、着信音読出手段３２は、着信音蓄積手段３３から着信音データを取得する（ステップＳ２４８、２４９）。着信音再生手段３１は、取得した着信音データを重畳手段７０に接続するバッファへ出力して（ステップＳ２５０）、制御手段５０に着信音再生開始を通知する（ステップＳ２５１）。
【００３６】
更に制御手段５０は、重畳手段７０に、ＴＶ再生手段１１、動画再生手段２１、着信音再生手段３１の再生出力の重畳バランスを指定する（ステップＳ２５２）。この状態では、動画再生手段２１の出力が１００％となっているが、制御手段５０は、以降所定の周期で再生出力のバランスを段階的に変更して、動画再生手段２１のコンテンツからＴＶ再生手段１１のテレビ放送へクロスフェードさせる（ステップＳ２５４から２５９）。
【００３７】
次に、図８のシーケンス図に移り、制御手段５０は、ステップＳ２５４から２５９と同様の手順で再生出力の重畳バランスを段階的に変更して、最終的にＴＶ再生手段１１からの出力を１００％とし（ステップＳ２６０から２６６）、動画再生手段２１の出力を停止する（ステップＳ２６７、２６８）。
【００３８】
従って、ＬＣＤ９１の表示は、図７（ａ）に示す動画再生手段２１のコンテンツ再生映像が、図７（ｂ）に示すように次第にフェードアウトして、ＴＶ放送の受信映像がフェードインする。また、ヘッドセット９２には、ＴＶ放送と着信音の音声がフェードインし、図８（ａ）に示す状態では、着信音の出力レベルが１００％、ＴＶ放送の出力レベルが５０％に設定される。
【００３９】
次に、図９のシーケンス図に移り、電話着信を認識した使用者がオフフックキーを押下すると、キー入力検出手段５５がキー押下を検出する（ステップＳ３０１）。ＣＰＵ５１は、制御手段５０にキー押下を通知して（ステップＳ３０２）、制御手段５０は、着信音再生手段３１の再生を停止させる（ステップＳ３０３、３０４）。更に、制御手段５０は、重畳手段７０に対して通話音声のゲイン設定を指示する（ステップＳ３０５）。この状態では、ＬＣＤ９１にＴＶ放送の映像が表示され、ヘッドセット９２には、ＴＶ放送の音声（５０％）と通話音声（１００％）が重畳された音声が出力される。
【００４０】
次に、通話が終了して使用者がオンフックキーを押下すると、キー入力検出手段５５がキー押下を検出する（ステップＳ４０１）。ＣＰＵ５１は、制御手段５０にキー押下を通知して（ステップＳ４０２）、制御手段５０は、通話音声のゲイン設定をオフにする（ステップＳ４０３）。以降、制御手段５０は、上述と逆の手順でＴＶ放送の受信映像及び音声のゲインを所定の周期で段階的に上昇させる（ステップＳ４０４から４０６）。
【００４１】
次に、図１０のシーケンス図に移り、制御手段５０は、ステップＳ４０４から４０６と同様の手順でゲインを上昇させて、最終的にＴＶ再生手段１１の再生出力を映像、音声共に１００％とする（ステップＳ４０７から４１５）。以上で、コンテンツ再生中における電話着信検出時のコンテンツ再生制御動作が終了する。尚、上記のシーケンスでは、ステップＳ２１２から２６８までの手順が、図２のフローチャートにおける「再生出力の制御」処理（ステップＳ１０５）に対応する。また、同じくステップＳ３０３からＳ３０５までの手順が、ステップＳ１０５の「再生出力の制御」処理に対応する。また、同じくステップＳ４０３から４１５までの手順が、ステップＳ１０５の「再生出力の制御」処理に対応する。
【００４２】
図１４は、上記の「スクリプト２」として記述されたシナリオ情報により実行されるコンテンツの再生制御動作内容を映像出力と音声出力に分けて示したタイミングチャートである。また、図１５及び１６は、同じく「スクリプト２」として記述されたシナリオ情報により実行されるコンテンツの再生制御動作内容を制御トラックごとに示したタイミングチャートである。更に、図１７は、電話着信検出時からオンフック検出直後までにＬＣＤに表示される画像及びヘッドセットに出力される音声レベルの変化をタイミングチャート上に模式的に示した図である。電話着信後、表示中のＴＶ放送の映像が着信報知用の画像と動画に遷移し、ＴＶ放送の音声がフェードアウトし、動画に対応する音声や着信音がフェードインする。通話中に最大出力となっている通話音声は、通話終了と同時に出力が停止して、ＴＶ放送の音声がフェードインして復帰する。
【００４３】
ところで、電話着信時に報知用コンテンツの再生を行わないシナリオ情報を選択した場合、映像出力及び音声出力は図１８に示すタイミングチャートのようになる。図の例では、電話着信後もＴＶ放送の映像はそのまま出力されるが、ＴＶ放送と着信音の音声がクロスフェードするようにシナリオが設定されている。従って、報知用コンテンツを再生しなくても、電話着信時における唐突感を従来に比較して著しく軽減させることができる。
【００４４】
尚、上記の実施例において、コンテンツ再生制御動作の制御手順となるシナリオ情報は、情報端末のダウンロード操作を行ったり、着脱可能メディアからの読み取りなどを行ったりすることで追加、更新できることが好ましい。また、その他にも赤外線通信やBluetooth通信、KIOSK端末、ＴＶのデータ放送などを利用してもよい。
【００４５】
また、上記の実施例では、計時手段のカウンタで厳密なカウントを行って時間管理を行う方式としたが、シナリオ情報に時間を経過させるための記述を挿入し、記述内容を制御手段で順次で実行することで計時手段の代用としてもかまわない。また、シナリオ情報に時間の記述を挿入し、記述内容を重畳手段で実行するようにしてもよい。例えば、「ＴＶ音声を２秒間で１００％から０％にフェードアウトする」内容の指令を制御手段から重畳手段に渡し、重畳手段に内蔵される計時機能に基づいて重畳手段が上記指令を実行する。
【００４６】
更に、上記の実施例では、再生しているコンテンツに含まれる文字データからメタ情報を抽出する方式としたが、コンテンツのファイル名、ファイル作成時刻、ファイル更新時刻、ファイルサイズ、ファイルタイプ、ファイル拡張子、ファイルフォーマット、ファイルヘッダに含まれるメタ情報、別ファイルに含まれているメタ情報およびこれらに基づいて外部（ネットワーク、放送、蓄積メディア等）から取得されたメタ情報を抽出する構成としてもかまわない。
【００４７】
また、シナリオ情報をメタ情報に基づいて選択する場合に限らす、イベント発生時の端末状態（テレビ再生中なのか音楽再生中なのか、マナーモードＯＮ／ＯＦＦ）に基づいて選択するようにしてもよい。また、コンテンツから抽出したメタ情報に限らずコンテンツに関連付けられているデータ（録画予約情報に含まれる録画開始時刻、録画終了時刻、録画時間、録画チャンネル等）に基づいて選択するようにしてもよい。また、録画に用いられた、あるいは録画開始後に新たに取得された番組案内情報（ＥＰＧ等）に含まれるデータ（番組タイトル、出演者名、番組開始時刻、終了時刻、ジャンル、詳細情報等）に基づいて選択するようにしてもよい。
【００４８】
また、上記の実施例では、イベント検出手段の検出対象として電話着信を例に説明したが、これにとらわれるものではなく、電子メール着信やＴＶ電話着信、インスタントメッセージ着信、スケジュールアラーム、バッテリー残量警告、情報端末の圏外／圏内通知、などをイベントとして検出する手段であってもかまわない。
【００４９】
更に、制御手順保持手段でシナリオ情報を選択する際の検索条件としては、電話発信者の発信者電話番号や発信者が属するグループ、着信時刻のほかにも、季節、過去の着信回数、累積通話時間、バッテリー残量、情報端末筐体に加わる加速度、位置情報、気温、折り畳み式情報端末の開閉状態、ＬＣＤ表示の縦・横切換え状態、マナーモードのＯＮ／ＯＦＦ状態、周辺のノイズレベル、再生中のアプリケーション、再生コンテンツの音声ピークレベル・平均パワー、人声の有無、などが設定可能である。
【００５０】
また、報知用コンテンツのバリエーション例としては、ニュース速報の報知音を鳴らして、テロップでイベント発生（着信）を通知するコンテンツ、ノック音とドアが開く動画を再生して、着信画面と共に着信メロディをフェードインさせるコンテンツ、野球選手が滑り込みをする動画と音声を再生して着信音をフェードインさせるコンテンツ、レコードの音とびを模したスクラッチ音と音声のディレイで報知を繰り返すコンテンツ、静止画・音声・動画（アニメーション）の任意の組み合わせによるコンテンツ、などが考えられる。
【００５１】
本発明を詳細にまた特定の実施態様を参照して説明したが、本発明の精神と範囲を逸脱することなく様々な変更や修正を加えることができることは当業者にとって明らかである。
本出願は、2004年8月27日出願の日本特許出願（特願2004−247930）に基づくものであり、その内容はここに参照として取り込まれる。
【産業上の利用可能性】
【００５２】
本発明の情報端末、イベント報知方法及びプログラムは、コンテンツの再生及びイベント発生の報知を予め設定した手順で実行させることで、コンテンツ再生中におけるイベント発生の報知を、唐突感なく行わせることができるという効果を有し、コンテンツ再生中に電話着信等のイベントが発生した際のコンテンツ再生動作の制御等として有用である。
【図面の簡単な説明】
【００５３】
【図１】本発明の実施の形態における情報端末の概略の内部構成を示す図
【図２】本発明の実施の形態における情報端末の、コンテンツ再生中におけるイベント検出時の制御動作手順を示すフローチャート
【図３】本発明の実施例における情報端末の詳細な内部構成を示す図
【図４】本発明の実施例における情報端末の、コンテンツ再生中における電話着信検出時のコンテンツ再生制御動作手順を示すシーケンス図
【図５】本発明の実施例における情報端末の、コンテンツ再生中における電話着信検出時のコンテンツ再生制御動作手順を示すシーケンス図
【図６】本発明の実施例における情報端末の、コンテンツ再生中における電話着信検出時のコンテンツ再生制御動作手順を示すシーケンス図
【図７】本発明の実施例における情報端末の、コンテンツ再生中における電話着信検出時のコンテンツ再生制御動作手順を示すシーケンス図
【図８】本発明の実施例における情報端末の、コンテンツ再生中における電話着信検出時のコンテンツ再生制御動作手順を示すシーケンス図
【図９】本発明の実施例における情報端末の、コンテンツ再生中における電話着信検出時のコンテンツ再生制御動作手順を示すシーケンス図
【図１０】本発明の実施例における情報端末の、コンテンツ再生中における電話着信検出時のコンテンツ再生制御動作手順を示すシーケンス図
【図１１】コンテンツデータに挿入された文字データの記述形式例を示す図
【図１２】メタ情報の記述形式例を示す図
【図１３】制御手順テーブルの参照例を示す図
【図１４】シナリオ情報により実行されるコンテンツの再生制御動作内容を映像出力と音声出力に分けて示したタイミングチャート
【図１５】シナリオ情報により実行されるコンテンツの再生制御動作内容を制御トラックごとに示したタイミングチャート
【図１６】シナリオ情報により実行されるコンテンツの再生制御動作内容を制御トラックごとに示したタイミングチャート
【図１７】電話着信検出時からオンフック検出直後までにＬＣＤに表示される画像及びヘッドセットに出力される音声レベルの変化をタイミングチャート上に模式的に示した図
【図１８】シナリオ情報により実行されるコンテンツの再生制御動作内容を映像出力と音声出力に分けて示したタイミングチャート（報知用コンテンツを再生しない場合）
【符号の説明】
【００５４】
１０  第１コンテンツ再生手段
１１  ＴＶ再生手段
１２  ＴＶチューナー
１３  復調手段
１４  アンテナ
２０  第２コンテンツ再生手段
２１  動画再生手段
２２  動画読出手段
２３  動画蓄積手段
２５  画像再生手段
２６  画像読出手段
２７  画像蓄積手段
３０  着信・アラームコンテンツ再生手段
３１  着信音再生手段
３２  着信音読出手段
３３  着信音蓄積手段
４０  計時手段
５０  制御手段
５１  ＣＰＵ
５２  制御手順保持手段
５３  メタ情報抽出手段
５４  電話帳
５５  キー入力検出手段
６０  イベント検出手段
６１  着信検出手段
７０  重畳手段
８０  通信手段
８１  復調手段
８２  デコーダ（オーディオ）
８３  エンコーダ（オーディオ）
８４  変調手段
９０  提示手段
９１  ＬＣＤ
９２  ヘッドセット
１０１  デマルチプレクサ
１０２  デコーダ（オーディオ）
１０３  サウンドバッファ
１０４  デコーダ（ビデオ）
１０５  フレームバッファ
１０６  デコーダ（データ）
２０１  デマルチプレクサ
２０２  デコーダ（オーディオ）
２０３  サウンドバッファ
２０４  デコーダ（ビデオ）
２０５  フレームバッファ
２０６  デコーダ（イメージ）
２０７  フレームバッファ
３０１  サウンドバッファ
【図１】
0004611306.tif 000002
【図２】
0004611306.tif 000003
【図３】
0004611306.tif 000004
【図４】
0004611306.tif 000005
【図５】
0004611306.tif 000006
【図６】
0004611306.tif 000007
【図７】
0004611306.tif 000008
【図８】
0004611306.tif 000009
【図９】
0004611306.tif 000010
【図１０】
0004611306.tif 000011
【図１１】
0004611306.tif 000012
【図１２】
0004611306.tif 000013
【図１３】
0004611306.tif 000014
【図１４】
0004611306.tif 000015
【図１５】
0004611306.tif 000016
【図１６】
0004611306.tif 000017
【図１７】
0004611306.tif 000018
【図１８】
0004611306.tif 000019